(57)【要約】  パルプ繊維、填料及び内添サイズ剤を含んでなる原紙表面の少なくとも片面に、米酵素変性澱粉、小麦酵素変性澱粉、米酸化澱粉及び小麦酸化澱粉から選択した少なくとも１種の澱粉を含有する水溶液を塗布する。水溶液の前記澱粉の含有量は５重量％以上であり導電剤を含有する。原紙表面には前記各澱粉固形分で片面当たり０．０５ｇ／ｍ２以上、全澱粉固形分で片面当たり１ｇ／ｍ２以上塗布する。本発明によれば、特にカラーインクジェット記録方式によって印字した時の、印字濃度が高く、ブリーディング、フェザーリング、及びモットリングを抑制した、かつ、カラー電子写真転写方式で複写した時にトナーの転写不良が発生せず、良好な画質が得られる普通紙タイプのインクジェット記録方式とカラー電子写真転写方式に共用できる記録用紙が得られる。【特許請求の範囲】
【請求項１】
パルプ繊維、填料及び内添サイズ剤を含んでなる原紙表面の少なくとも片面に、米酵素変性澱粉、小麦酵素変性澱粉、米酸化澱粉及び小麦酸化澱粉から選択した少なくとも１種の澱粉を含有してなる水溶液に導電剤を含有させたものを塗布してなることを特徴とするカラーインクジェット記録・カラー電子写真転写共用紙。
【請求項２】
前記水溶液が前記米酵素変性澱粉、小麦酵素変性澱粉、米酸化澱粉及び小麦酸化澱粉のうち少なくとも１種を全澱粉含有量の５重量％以上含有してなることを特徴とする請求項１記載のカラーインクジェット記録・カラー電子写真転写共用紙。
【請求項３】
前記水溶液中にタピオカ酵素変性澱粉、タピオカ酸化変性澱粉、コーン酵素変性澱粉、コーン酸化変性澱粉、ポテト酵素変性澱粉及びポテト酸化変性澱粉から選択される少なくとも１種を含むことを特徴とする請求項１又は２に記載のカラーインクジェット記録・カラー電子写真転写共用紙。
【請求項４】
前記原紙表面に対する前記水溶液の塗布量は、前記各澱粉固形分で片面当たり０．０５ｇ／ｍ２以上、全澱粉固形分で片面当たり１ｇ／ｍ２以上であることを特徴とする請求項１〜３のいずれかに記載のカラーインクジェット記録・カラー電子写真転写共用紙。
【発明の詳細な説明】
【技術分野】
【０００１】
本発明は、カラーインクジェット記録方式及びカラー電子写真転写方式の印字に適用能な普通紙タイプの記録用紙に関するものであり、特にカラーインクジェット記録用紙としては、印字濃度が高いにもかかわらずブリーディングやフェザーリングが発生せず、かつモットリングも良好な記録用紙に係るものである。
【背景技術】
【０００２】
インクジェット記録方式の記録用紙は、一般ＰＰＣ用紙に類似している普通紙タイプのものと、塗工紙タイプに大別される。塗工紙タイプのものはインク受理層を有するのに対し、普通紙タイプのものはインク受理層を有しないか、または、有するとしてもごくわずかである。記録用紙の用途が多様化するに伴い、電子写真転写適性も保持した安価で汎用性のある普通紙タイプのインクジェット記録用紙が必要とされている。従って、インクジェット記録方式では、普通紙タイプに対する記録適性を向上させることが極めて重要である。【０００３】
しかしながら、これまでのインクジェット記録方式では、普通紙タイプの記録用紙に印字する際に次のような問題点があった。
（１）ブリーディング：普通紙タイプの記録用紙は一般に、にじみ防止にサイズを効かせている。このためインクの吸収が遅くなり、異なる色同士が接する部分において、いわゆる色間にじみが発生する。場合により記録装置や他の記録用紙、或いは手などの接触により汚染を生ずることがある。
（２）フェザーリング：インク滴が記録用紙の内部或いは表面に必要以上に拡散浸透して、特に紙の表面繊維に沿ってインクが流れ出し、インク滴により記録されるドットがヒゲ状になったり、大きくなりすぎたり、歪んだ形状になり、画質を著しく損なう。
（３）モットリング：普通紙タイプの記録用紙は、塗工紙タイプのものに比べインク吸収性が遅く、ベタ印字部においてモットリングと呼ばれる斑状ムラを発生させることがある。【０００４】
以上のうちで特に（１）及び（２）が重要な問題点である。塗工紙タイプのインクジェット記録用紙であれば、原紙上に多孔質のインク受理層を設けているため、比較的容易に、（１）及び（２）に同時に対応できるが、これに対し、普通紙タイプのインクジェット記録用紙は、インク受理層を有しないか、または、有したとしてもごくわずかであるため、（１）及び（２）に同時に対応するのは難しい。即ち、インクジェット記録用紙のサイズ度を上げると、記録紙上のインク滴は大きく広がることはないので、フェザーリングは小さくなるがインク吸収は遅くなり、ブリーディングは大きくなる。逆に、インクジェット記録紙のサイズ度を下げると、インク吸収は早くなりブリーディングは小さくなるが、記録紙の横方向の吸収も大きくなるのでフェザーリングは大きくなる。すなわち、フェザーリングとブリーディングは相反する特性であり、インクジェット記録用紙のサイズ度を調整するだけでは両者を満足させることはできない。【０００５】
これらの従来技術の問題点を改善するために、下記特許文献１には、少なくともアニオン性基を有する水溶性染料もしくはカチオン性基を有する水溶性染料を含有するインクを記録媒体に付与して画像を形成する画像形成方法において、その記録媒体が、前記の水溶性染料と反対のイオン性を有する分子量１０００以下の物質と分子量２０００以上の高分子物質とを少なくとも含有する記録媒体が開示されている。【０００６】
また、下記特許文献２には、カチオン性樹脂を０．５〜２．０ｇ／ｍ２付着させてなり、かつ表面電気抵抗１．０×１０９〜９．９×１０１３Ωであるインクジェット記録・電子写真転写共用紙が開示されている。【０００７】
また、特許文献３には、パルプ繊維及び填料を主体とし、インクの浸透防止剤を含んでなる記録紙であって、
（ａ）２０℃、６５％ＲＨにおける表面電気抵抗１．０×１０９〜１．０×１０１３Ω、
（ｂ）記録面の表面ｐＨ６．５乃至７．８、
（ｃ）ブリストウ試験による吸収係数Ｋα（ｍ・ｓｅｃ１／２）が５．０×１０−９〜５．０×１０−５、
の範囲である記録紙が開示されている。【０００８】
さらに、下記特許文献４には、填料、内添サイズ剤を含有した中性紙の表面にアクリロニトリル−アクリル酸エステル系共重合体のエマルジョンを主成分とする表面サイズ剤を塗布した記録紙が開示されている。【０００９】
さらにまた、下記特許文献５には、内添サイズ剤として中性ロジンサイズを使用した原紙表面に、アクリロニトリル−ビニルホルマール−アクリル酸エステル共重合体、スチレン−アクリル酸共重合体、スチレン−メタアクリル酸共重合体からなる表面サイズ剤を塗布してなる電子写真用転写用紙で、５％イソプロピル水溶液の３０秒コブサイズ１４ｇ／ｍ２以下である電子写真用転写用紙が開示されている。【００１０】
そしてまた、下記特許文献６には、水溶性高分子とカチオン化密度２．０〜８．０ｍｅｑ／ｇのカチオン性高分子化合物を０．５〜５．０ｇ／ｍ２塗布した記録用紙であるものが開示されている。【００１１】
以上述べたように、普通紙タイプの、インクジェット記録・電子写真転写共用紙に対する改良のため、従来の記録用紙では、下記特許文献１に開示されているようにインクと反対のイオン性を有する特定の物質を含有させインクジェット記録適性を改善したり、下記特許文献２に開示されているようにカチオン性樹脂を付着させ表面電気抵抗を一定範囲に調整し電子写真転写適性を保持したり、下記特許文献３に開示されているようにインクの浸透防止剤を含有させ表面電気抵抗等を一定範囲に調整して電子写真転写適性を保持したり、下記特許文献４及び特許文献５に開示されているように特定の表面サイズ剤を塗布してインクジェット記録適性を改善したり、さらに下記特許文献６に開示されているように水溶性高分子とともに特定のカチオン性高分子化合物を塗布してインクジェット記録適性を改善している。【００１２】
【特許文献１】特開平７−２５７０１７号公報
【特許文献２】特開２０００−８５２３９号公報
【特許文献３】特開平６−２１９０３８号公報
【特許文献４】特開平８−５０３６６号公報
【特許文献５】特開平８−２２１３７号公報
【特許文献６】特開２０００−６２３１１号公報
【特許文献７】特許第３２１３６３０号公報
【発明の開示】
【発明が解決しようとする課題】
【００１３】
しかしながら、以上の方法は、条件によっては、電子写真転写適性が不十分であり、逆に電子写真転写適性は十分でも、インクジェット記録適性が不十分であることもあり、必ずしも普通紙タイプのインクジェット記録・電子写真転写共用紙として満足できるものとはいえなかった。特にカラーインクジェット記録用紙として、印字濃度が高いにもかかわらずブリーディングやフェザーリングが発生せず、かつモットリングも良好な記録用紙は得られていない。【００１４】
本願の発明者は、上述のような従来技術の問題点を解決すべく、普通紙タイプのインクジェット記録・電子写真転写共用紙として満足できるものにつき種々検討を重ねた結果、米酵素変性澱粉、小麦酵素変性澱粉、米酸化澱粉及び小麦酸化澱粉のうち少なくとも１種を導電性材料を含む水溶液として原紙に塗布することにより、所定の特性を満たすことができることを見出し、本発明を完成するに至ったのである。なお、澱粉としては、例えば上記特許文献７に開示されているように特に糊化させないで使用するものも存在するが、本発明における上記の澱粉は周知の従来技術と同様に全て糊化されたものである。【００１５】
すなわち、本発明の目的は、普通紙タイプの用紙で、インクジェット記録方式とカラー電子写真転写方式に共用できる記録用紙を提供することである。また、本発明の他の目的は、普通紙タイプの用紙で、インクジェット記録方式とカラー電子写真転写方式に共用できる記録用紙において、特に、カラーインクジェット記録方式によって印字した時の、印字濃度が高く、ブリーディング、フェザーリング、及びモットリングを抑制した、かつ、カラー電子写真転写方式で複写した時にトナーの転写不良が発生せず、良好な画質が得られる記録用紙を提供することである。
【課題を解決するための手段】
【００１６】
本発明の上記目的は以下の構成により達成することができる。すなわち、本発明は、カラーインクジェット記録・カラー電子写真転写共用紙において、パルプ繊維、填料及び内添サイズ剤を含んでなる原紙表面の少なくとも片面に、米酵素変性澱粉、小麦酵素変性澱粉、米酸化澱粉及び小麦酸化澱粉から選択した少なくとも１種の澱粉を含有してなる水溶液に導電剤を含有させたものを塗布してなることを特徴とするものである。【００１７】
係る態様においては、前記水溶液が前記米酵素変性澱粉、小麦酵素変性澱粉、米酸化澱粉及び小麦酸化澱粉のうち少なくとも１種を全澱粉含有量の５重量％以上含有してなることが好ましい。【００１８】
また、係る態様においては、前記水溶液中にタピオカ酵素変性澱粉、タピオカ酸化変性澱粉、コーン酵素変性澱粉、コーン酸化変性澱粉、ポテト酵素変性澱粉及びポテト酸化変性澱粉から選択される少なくとも１種を含むことが好ましい。【００１９】
また、係る態様においては、前記原紙表面に対する前記水溶液の塗布量は、前記各澱粉固形分で片面当たり０．０５ｇ／ｍ２以上、全澱粉固形分で片面当たり１ｇ／ｍ２以上であることが好ましい。
【発明の効果】
【００２０】
本発明の構成によれば、以下に実施例及び比較例を用いて詳細に説明するように、インクジェット記録方式とカラー電子写真転写方式に共用でき、特に、カラーインクジェット記録方式によって印字した時に、印字濃度が高く、ブリーディング、フェザーリング、及びモットリングが抑制され、かつ、カラー電子写真転写方式で複写した時にトナーの転写不良が発生せず、良好な画質が得られる記録用紙を提供することができる。
【発明を実施するための最良の形態】
【００２１】
以下に、表を参照して本発明の最良の実施形態を比較例と共に説明する。ただし、以下に示す実施形態は、本発明の技術思想を具体化するための記録用紙を例示するものであって、本発明をこの記録用紙に特定することを意図するものではなく、特許請求の範囲に含まれるその他の実施形態のものにも等しく適応し得るものである。なお、以下の説明において「％」は、特に明示しない限り重量％（実質的に質量％に等しい）を示す。
【実施例１】
【００２２】
まず最初に、実施例及び比較例に共通する原紙、澱粉溶液の塗布方法、平滑度の測定方法、カラーインクジェット記録適性の測定方法及びカラー電子写真複写適性について説明する。【００２３】
<原紙>
パルプ繊維、填料及び内添サイズ剤を含んでなる原紙を支持体として使用した。原紙坪量６４，７０，８０及び９０ｇ／ｍ２のものを適宜使用した。【００２４】
<澱粉溶液の塗布方法>
固形分１５％で酵素変性或いは酸化剤により酸化され、粘度を減少させた澱粉溶液に導電剤として常法により食塩を一定量を添加し、塗布量３．５ｇ／ｍ２両面）になるように、番手１２ミクロンのバーコーターで、原紙に片面に塗布、１２０℃オーブンで１５秒乾燥を繰り返し、テストに供した。【００２５】
<平滑度の測定方法>
ベック平滑度試験器による平滑度試験方法（ＪＩＳ  Ｐ８１１９）による。数値が高いほうが紙の表面が、より平滑であることを示す。【００２６】
<インクジェット記録適性の測定方法>
（１）印字濃度
印字濃度は、Ｃａｎｏｎ  ＢＪＣ  ４６５０（商品名）  インクジェットプリンターにより、カラー及びブラックでベタ印字した記録画像の光学濃度を測定した。数値は高いほうが濃度が高く良好なことを示す。
（２）カラーインクジェット記録適性
カラー画像を、Ｃａｎｏｎ  ＢＪＣ  ４６５０  インクジェットプリンターにより印字し、そのカラー記録画像を、モットリング、ブリーディング及びフェザーリングの観点で、各々目視により判定した。判定基準は１０点法で、１０が最良、７が実用範囲内、６以下実用範囲外  と定めた。総合評価は、印字濃度、モットリング、ブリーディング及びフェザーリングを勘案し、◎＝優、○＝良、△＝実用範囲内、×＝実用範囲外、と定めた。
（３）ブラックインクジェット記録適性
ブラック画像を、Ｃａｎｏｎ  ＢＪＣ  ４６５０  インクジェットプリンターにより印字し、そのブラック記録画像を、モットリング、ブリーディング及びフェザーリングの観点で、各々目視により判定した。判定基準は１０点法で、１０が最良、７が実用範囲内、６以下実用範囲外  と定めた。総合評価は、印字濃度、モットリング、ブリーディング及びフェザーリングを勘案し、◎＝優、○＝良、△＝実用範囲内、×＝実用範囲外、と定めた。【００２７】
<カラー電子写真複写適性>
カラー画像を、Ｘｅｒｏｘ  ２０６０（商品名）  カラー複写機により複写し、そのカラー複写画像を目視により判定した。判定基準は◎＝優、○＝良、△＝実用範囲内、×＝実用範囲外  と定めた。【００２８】
<試料の作成>
実施例及び比較例の試料の作成及びテストは次のように行った。例えば、米澱粉とタピオカ澱粉を配合比により計量し小さな容器に入れ、固形分１５％になるように水で希釈し、全澱粉に対して活性酵素換算で０．１％の酵素を添加する。それを７０〜７４℃に加熱、２５分間保持し、澱粉の粘度を減少させるための酵素反応を進める。その後、９５℃に再加熱し１５分間保持し、酵素反応を停止する。番手１２ミクロン〔塗布量約１．８ｇ／ｍ２（片面）〕のバーコーターで、無処理の原紙表面に塗布し、１２０℃のオーブンで１５秒間乾燥する。残りの片面も同様に行う。上記のようにして得られた紙を用い、Ｃａｎｏｎ  ＢＪＣ  ４６５０  インクジェットプリンターでインクジェット記録適性テストを、Ｘｅｒｏｘ  ２０６０  カラー複写機でカラー電子写真複写適性テストを、各々行った。【００２９】
<実施例１、３、４、５、６及び比較例１、５>
ここでは、米酵素変性澱粉／タピオカ酵素変性澱粉配合比による諸物性を測定した。各配合比及び測定結果をまとめて表１に示す。
【表１】
2006057063.tif 000002
【００３０】
上記表１より明らかなように、ベック平滑度、カラー及びブラックのインクジェット記録適性（モットリング、ブリーディング、フェザーリング及び印字濃度）及びカラー電子写真複写適性の全特性において、米酵素変性澱粉１００％（実施例１）は最高レベルを、タピオカ酵素変性澱粉１００％（比較例５）は最低レベルを示し、配合比間（実施例３、４、５、６及び比較例１）では、米酵素変性澱粉の配合比が大きくなるほど良化し、タピオカ酵素変性澱粉の配合比が大きくなるほど低化する傾向を示した。実施例６のように米酵素変性澱粉５％あるいはそれ以上であれば全特性は実用範囲内であり、米酵素変性澱粉の配合比を増せば良化する。品質的には、米酵素変性澱粉の配合比は、５％でも効果があるが、２５％以上が好ましい。比較例１の米酵素変性澱粉４％あるいはそれ以下の配合比では、カラー及びブラックのインクジェット記録適性のブリーディングが実用範囲外となる。【００３１】
<実施例１、７、８、９、１０及び比較例２、４>
ここでは、米酵素変性澱粉／コーン酵素変性澱粉配合比による諸物性を測定した。各配合比及び測定結果をまとめて表２に示す。
【表２】
2006057063.tif 000003
【００３２】
表２より明らかなように、米酵素変性澱粉／コーン酵素変性澱粉配合比による諸物性についても、表１の米酵素変性澱粉／タピオカ酵素変性澱粉配合比による諸物性と同様な結果が得られている。【００３３】
<実施例１、１１、１２、１３、１４及び比較例３、６>
ここでは、米酵素変性澱粉／ポテト酵素変性澱粉配合比による諸物性を測定した。各配合比及び測定結果をまとめて表３に示す。
【表３】
2006057063.tif 000004
【００３４】
表３より明らかなように、米酵素変性澱粉／ポテト酵素変性澱粉配合比による諸物性についても、表１の米酵素変性澱粉／タピオカ酵素変性澱粉配合比による諸物性と同様な結果が得られている。【００３５】
<実施例２、１５、１６、１７、１８及び比較例７、５>
ここでは、小麦酵素変性澱粉／タピオカ酵素変性澱粉配合比による諸物性を測定した。各配合比及び測定結果をまとめて表４に示す。
【表４】
2006057063.tif 000005
【００３６】
表４より明らかなように、ベック平滑度、カラー及びブラックのインクジェット記録適性（モットリング、ブリーディング、フェザーリング及び印字濃度）及びカラー電子写真複写適性の全特性において、小麦酵素変性澱粉１００％（実施例２）は最高レベルを、タピオカ酵素変性澱粉１００％（比較例５）は最低レベルを示し、配合比間（実施例１５、１６、１７、１８及び比較例７）では、小麦酵素変性澱粉の配合比が大きくなるほど良化し、タピオカ酵素変性澱粉の配合比が大きくなるほど低化する傾向を示した。実施例１８の酵素変性小麦澱粉５％、又はそれ以上であれば全特性は実用範囲内であり、小麦酵素変性澱粉の配合比を増せば良化する。品質的には、小麦酵素変性澱粉の配合比は５％でも効果があるが、２５％以上が好ましい。比較例１の小麦酵素変性澱粉４％、又はそれ以下ではカラー及びブラックのインクジェット記録適性のブリーディングが実用範囲外となっている。【００３７】
<実施例２、１９、２０、２１、２２及び比較例８、４>
ここでは、小麦酵素変性澱粉／コーン酵素変性澱粉配合比による諸物性を測定した。各配合比及び測定結果をまとめて表５に示す。
【表５】
2006057063.tif 000006
【００３８】
表５より明らかなように、小麦酵素変性澱粉／コーン酵素変性澱粉配合比による諸物性についても、表４の小麦酵素変性澱粉／タピオカ酵素変性澱粉配合比による諸物性と同様な結果が得られている。【００３９】
<実施例２、２３、２４、２５、２６及び比較例９、６>
ここでは、小麦酵素変性澱粉／ポテト酵素変性澱粉配合比による諸物性を測定した。各配合比及び測定結果をまとめて表６に示す。
【表６】
2006057063.tif 000007
【００４０】
表６より明らかなように、小麦酵素変性澱粉／ポテト酵素変性澱粉配合比による諸物性についても、表４の小麦酵素変性澱粉／タピオカ酵素変性澱粉配合比による諸物性と同様な結果が得られている。【００４１】
<実施例１'、３'、４'、５'、６'及び比較例１'、５'>
ここでは、米酸化澱粉／タピオカ酸化澱粉配合比による諸物性を測定した。各配合比及び測定結果をまとめて表７に示す。
【表７】
2006057063.tif 000008
【００４２】
表７より明らかなように、ベック平滑度、カラー及びブラックのインクジェット記録適性（モットリング、ブリーディング、フェザーリング及び印字濃度）及びカラー電子写真複写適性の全特性において、米酸化澱粉１００％（実施例１'）は最高レベルを、タピオカ酸化澱粉１００％（比較例５'）は最低レベルを示し、配合比間（実施例３'、４'、５'、６'及び比較例１'）では、米酸化澱粉の配合比が大きくなるほど良化し、タピオカ酸化澱粉の配合比が大きくなるほど低化する傾向を示した。実施例６'の酵素変性米澱粉５％、乃至それ以上であれば全特性は実用範囲内以上であり、米酸化澱粉の配合比を増せば良化する。品質的には、米酸化澱粉の配合比は５％でも効果があるが、２５％以上が好ましい。比較例１'の米酸化澱粉４％乃至それ以下ではカラー及びブラックのインクジェット記録適性のブリーディングが実用範囲外となる。【００４３】
<実施例１'、７'、８'、９'、１０'及び比較例２'、４'>
ここでは、米酸化澱粉／コーン酸化澱粉配合比による諸物性を測定した。各配合比及び測定結果をまとめて表８に示す。
【表８】
2006057063.tif 000009
【００４４】
表８より明らかなように、米酸化澱粉／コーン酸化澱粉配合比による諸物性についても、表７の酵素変性米澱粉／酵素変性タピオカ澱粉配合比による諸物性と同様な結果が得られている。【００４５】
<実施例１'、１１'、１２'、１３'、１４'及び比較例３'、６'>
ここでは、米酸化澱粉／ポテト酸化澱粉配合比による諸物性を測定した。各配合比及び測定結果をまとめて表９に示す。
【表９】
2006057063.tif 000010
【００４６】
表９より明らかなように、米酸化澱粉／ポテト酸化澱粉配合比による諸物性についても、表７米酸化澱粉／タピオカ酸化澱粉配合比による諸物性と同様な結果が得られている。【００４７】
<実施例２'、１５'、１６'、１７'、１８'及び比較例７'、５'>
ここでは、小麦酸化澱粉／タピオカ酸化澱粉配合比による諸物性を測定した。各配合比及び測定結果をまとめて表１０に示す。
【表１０】
2006057063.tif 000011
【００４８】
表１０より明らかなように、ベック平滑度、カラー及びブラックのインクジェット記録適性（モットリング、ブリーディング、フェザーリング及び印字濃度）及びカラー電子写真複写適性の全特性において、小麦酸化澱粉１００％（実施例２'）は最高レベル乃至はそれに近いレベルを、タピオカ酸化澱粉１００％（比較例５'）は最低レベルを示し、配合比間（実施例１５'、１６'、１７'、１８'及び比較例７'）では、小麦酸化澱粉の配合比が大きくなるほど良化し、タピオカ酸化澱粉の配合比が大きくなるほど低化する傾向を示した。実施例１８'の小麦酸化澱粉５％、乃至それ以上であれば全特性は実用範囲内以上であり、小麦酸化澱粉の配合比を増せば良化する。品質的には、小麦酸化澱粉の配合比は５％でも効果があるが、２５％以上が好ましい。比較例７'の小麦酸化澱粉４％、乃至それ以下ではカラー及びブラックのインクジェット記録適性のブリーディングが実用範囲外となる。【００４９】
<実施例２'、１９'、２０'、２１'、２２'及び比較例８'、４'>
ここでは、小麦酸化澱粉／コーン酸化澱粉配合比による諸物性を測定した。各配合比及び測定結果をまとめて表１１に示す。
【表１１】
2006057063.tif 000012
【００５０】
表１１より明らかなように、小麦酸化澱粉／コーン酸化澱粉配合比による諸物性についても、表１０の小麦酸化澱粉／タピオカ酸化澱粉配合比による諸物性と同様な結果が得られている。【００５１】
<実施例２'、２３'、２４'、２５'、２６'及び比較例９'、６'>
ここでは、小麦酸化澱粉／ポテト酸化澱粉配合比による諸物性を測定した。各配合比及び測定結果をまとめて表１２に示す。
【表１２】
2006057063.tif 000013
【００５２】
表１２より明らかなように、小麦酸化澱粉／ポテト酸化澱粉配合比による諸物性についても、表１０の小麦酸化澱粉／タピオカ酸化澱粉配合比による諸物性と同様な結果が得られている。【００５３】
<実施例２７、比較例１０>
ここでは、抄紙機におけるサイズプレスを行った場合の諸特性を測定した。結果を実施例１、３〜６及び比較例１、５の結果とともに表１３に示す。
【表１３】
2006057063.tif 000014
【００５４】
表１３の実施例２７（米酵素変性澱粉３０％／タピオカ澱粉７０％）のブラックインクジェット記録適性は全て良好であるのに対し、比較例１０（タピオカ酵素変性澱粉１００％）のブラックインクジェット記録適性のブリーディングは実用範囲外であり、実機でも表１の結果とほぼ一致する結果が得られた。【００５５】
<まとめ>
以上の結果から明らかなように、
（１）米酵素変性澱粉、小麦酵素変性澱粉、タピオカ酵素変性澱粉、コーン酵素変性澱粉、ポテト酵素変性澱粉、のそれぞれ単独、
（２）米酸化澱粉、小麦酸化澱粉、タピオカ酸化澱粉、コーン酸化澱粉、ポテト酸化澱粉、のそれぞれ単独、
（３）米酵素変性澱粉とタピオカ酵素変性澱粉、米酵素変性澱粉とコーン酵素変性澱粉、米酵素変性澱粉とポテト酵素変性澱粉、の各混合物、
（４）小麦酵素変性澱粉とタピオカ酵素変性澱粉、小麦酵素変性澱粉とコーン酵素変性澱粉、小麦酵素変性澱粉とポテト酵素変性澱粉、の各混合物、
（５）米酸化澱粉とタピオカ酸化澱粉、米酸化澱粉とコーン酸化澱粉、米酸化澱粉とポテト酸化澱粉、の各混合物、及び、
（６）小麦酸化澱粉とタピオカ酸化澱粉、小麦酸化澱粉とコーン酸化澱粉、小麦酸化澱粉とポテト酸化澱粉、の各混合物、
について、単独と組み合わせからなる塗布液を原紙表面に塗布しインクジェット記録適性（印字濃度、ブリーディング、フェザーリング及びモットリング）及び電子写真転写適性、かつ、表面のベック平滑度を試験した結果、米酵素変性澱粉、小麦酵素変性澱粉、米酸化澱粉、小麦酸化澱粉の各単独液を塗布したものは、全ての特性において最高レベルであった。これに対し、タピオカ酵素変性澱粉、コーン酵素変性澱粉、ポテト酵素変性澱粉、タピオカ酸化澱粉、コーン酸化澱粉、ポテト酸化澱粉の各単独液を塗布したものは全ての特性において最低レベルを示した。【００５６】
米酵素変性澱粉、米酸化澱粉、小麦酵素変性澱粉又は小麦酸化澱粉とタピオカ酵素変性澱粉、タピオカ酸化澱粉、コーン酵素変性澱粉、コーン酸化澱粉、ポテト酵素変性澱粉、ポテト酸化澱粉それぞれとの混合液を塗布したものは米酵素変性澱粉、米酸化澱粉、小麦酵素変性澱粉、小麦酸化澱粉の混合率が増すほど、諸特性は良化する傾向であった。【００５７】
米酵素変性澱粉、米酸化澱粉、小麦酵素変性澱粉及び小麦酸化澱粉は、タピオカ酵素変性澱粉、タピオカ酸化澱粉、コーン酵素変性澱粉、コーン酸化澱粉、ポテト酵素変性澱粉、ポテト酸化澱粉に比べ、明らかにベック平滑度が高い。これは、タピオカ酵素変性澱粉、タピオカ酸化澱粉、コーン酵素変性澱粉、コーン酸化澱粉、ポテト酵素変性澱粉、ポテト酸化澱粉に比べ、米酵素変性澱粉、米酸化澱粉、小麦酵素変性澱粉又は小麦酸化澱粉の塗布液の表層留りが良いため、原紙表面の凹凸を被覆するレベルが高く、ベック平滑度が高くなったと考えられる。米酵素変性澱粉、米酸化澱粉、小麦酵素変性澱粉又は小麦酸化澱粉の塗布液の表層留りが良い理由は明らかでないが、米酵素変性澱粉、米酸化澱粉、小麦酵素変性澱粉及び小麦酸化澱粉による塗布液の大きな特性である。【００５８】
従来技術のブリーディング、フェザーリング及びモットリングの問題点についてはすでに述べた。しかるに、本発明においては、米酵素変性澱粉、米酸化澱粉、小麦酵素変性澱粉又は小麦酸化澱粉の塗布液の原紙表層留りが良いために、単独液のみならず、タピオカ酵素変性澱粉、タピオカ酸化澱粉、コーン酵素変性澱粉、コーン酸化澱粉、ポテト酵素変性澱粉又はポテト酸化澱粉との混合塗布液においても、米酵素変性澱粉、米酸化澱粉、小麦酵素変性澱粉又は小麦酸化澱粉の効果により、表層に留った澱粉と、支持体である原紙のサイズ性との相乗効果により、塗被紙のインクジェット記録適性（印字濃度、ブリーディング、フェザーリング及びモットリング）は、ブリーディングとフェザーリングのバランスが良好にとれた状態となり、印字濃度及びモットリングもそれにともない良好となり、インクジェット記録適性は、総合的に満足する結果が得られた。一方、電子写真転写適性は、塗布された澱粉塗布液分布に連動して分布した導電剤が、原紙表面層と紙層で、電子写真転写適性としてバランスし、インクジェット記録適性同様に満足する結果が得られた。【００５９】
以上には、米酵素変性澱粉、米酸化澱粉、小麦酵素変性澱粉又は小麦酸化澱粉の各単独とそれらとタピオカ酵素変性澱粉、タピオカ酸化澱粉、コーン酵素変性澱粉、コーン酸化澱粉、ポテト酵素変性澱粉又はポテト酸化澱粉との各混合塗布液について説明したが、米酵素変性澱粉、米酸化澱粉、小麦酵素変性澱粉又は小麦酸化澱粉の２種以上とタピオカ酵素変性澱粉、タピオカ酸化澱粉、コーン酵素変性澱粉、コーン酸化澱粉、ポテト酵素変性澱粉又はポテト酸化澱粉の２種以上の混合塗布液を用いた場合も傾向は同様であり、上述の効果が得られる。
【産業状の利用可能性】
【００６０】
以上に述べたように、本発明によれば、カラーインクジェット記録方式及びカラー電子写真転写方式の印字に適応可能な普通紙タイプの記録用紙として産業上の利用効果が大である。
【国際調査報告】
2006057063.tif 000015
2006057063.tif 000016
2006057063.tif 000017
2006057063.tif 000018